(57)【要約】【課題】女性の月経期間に発生する経血又は分泌物を効率よく吸収でき、経血又は分泌物による匂い発生を防止できるサニタリー機能性ショーツを開示する。【解決手段】綿を含む綿糸層と、綿糸層の裏面に存在する第１のナイロンシートと綿糸層と第１のナイロンシートの間に存在する第１の防水布とを含む尻部吸収領域と、尻部吸収領域の下端に位置し、着用者の肌接触面に存在する第１の吸収布と、第１の吸収布の裏面に存在する第２のナイロンシートと、第１の吸収布と第２のナイロンシートの間に存在する第２の防水布とを含む経血吸収領域と、経血吸収領域の両側に形成されており、第３のナイロンシートと、第３のナイロンシートの両側又は一側に存在する第３及び第４の防水布とを含む経血漏れ防止ラインとを含むことを特徴とする。【選択図】図１
2021523988.tif 000002
【特許請求の範囲】
【請求項１】
４０〜１２０番手のコーマ糸又はカード糸である綿を含む綿糸層と、前記綿糸層の裏面に存在する第１のナイロンシートと、前記綿糸層と前記第１のナイロンシートの間に存在する第１の防水布とを含む尻部吸収領域と、
前記尻部吸収領域の下端に位置し、着用者の肌接触面に存在する第１の吸収布と、前記第１の吸収布の裏面に存在する第２のナイロンシートと、前記第１の吸収布と前記第２のナイロンシートの間に存在する第２の防水布とを含む経血吸収領域と、
前記経血吸収領域の両側に形成されており、第３のナイロンシートと、前記第３のナイロンシートの両側又は一側に存在する第３及び第４の防水布とを含む経血漏れ防止ラインとを含み、
前記第１の吸収布は、［数１］を満たし、着用者の肌接触面から順次位置する第１〜第３の吸収層を含むことを特徴とするサニタリー機能性ショーツ。
［数１］
Ｄ１＞Ｄ２＞Ｄ３
［数１］において、Ｄ１は、第１の吸収層に存在する繊維原糸の繊度であり、Ｄ２は、第２の吸収層に存在する繊維原糸の繊度であり、Ｄ３は、第３の吸収層に存在する繊維原糸の繊度である。
【請求項２】
前記第１〜第４の防水布は、
ポリエステル系樹脂を含む第１の層と、
ポリウレタン系樹脂を含む第２の層と、
前記第１の層及び第２の層の間に存在するポリウレタン系水性接着剤層とを含むことを特徴とする請求項１に記載のサニタリー機能性ショーツ。
【請求項３】
前記第１の吸収布の前記第１〜第３の吸収層は、ポリエステル系樹脂を含むことを特徴とする請求項１に記載のサニタリー機能性ショーツ。
【請求項４】
更に、前記第１の吸収布は、凹凸構造を有するポリウレタンドット層を含み、
前記凹凸構造を有するポリウレタンドット層のある一面は、前記第１の吸収層が位置し、他面は、着用者の肌接触面と直接接触することを特徴とする請求項１に記載のサニタリー機能性ショーツ。
【請求項５】
前記第１の吸収布は、［数２］を満たすことを特徴とする請求項１に記載のサニタリー機能性ショーツ。
［数２］
ρ１＞ρ２＞ρ３
［数２］において、ρ１は、第１の吸収層の空隙率（％）で、ρ２は、第２の吸収層の空隙率（％）であり、ρ３は、第３の吸収層の空隙率（％）である。
【請求項６】
前記第１の吸収布の前記第１〜第３の吸収層は、セラミックス粒子を１〜３％の割合で含有する原糸を用いて形成され、
前記第１の吸収布は、１０ｎｍ〜７００ｎｍ範囲内の波長光に対する遮断率が８０％〜９５％の範囲内にあることを特徴とする請求項１に記載のサニタリー機能性ショーツ。
【請求項７】
前記経血吸収領域の縁を縫製し、単位質量（ｇ）のあたり、アンモニア脱臭率が３ｍｇ〜１０ｍｇの範囲内にある消臭室を含むことを特徴とする請求項１に記載のサニタリー機能性ショーツ。
【請求項８】
更に、前記尻部吸収領域の上端に存在し、着用者の腰部位を取り囲む腰バンド領域を含み、
前記腰バンド領域は、ナイロン１００重量分に比して、ポリウレタン２０重量分〜４０重量分の割合で含むことを特徴とする請求項１に記載のサニタリー機能性ショーツ。
【発明の詳細な説明】
【技術分野】
【０００１】
本発明は、サニタリー機能性ショーツに係り、より詳しくは、女性の月経期間に発生する経血又は分泌物を効率よく吸収することができ、洗濯により繰返し使用可能なサニタリー機能性ショーツに関する。
【背景技術】
【０００２】
一般に、女性の月経期間に使われる生理用ナプキンは、下着に固着して、下着との連動性を高く維持して使われるが、ウィングが常に同じ位置で折り曲げられるとは言えず、ウィングが下着の外面に露出した状態となって、見にくくなる。さらには、使い捨てのナプキンによる環境的な負担が全世界的に問題となっているのが実情である。
【０００３】
このような生理用ナプキンの問題を解消するために、登録実用新案第３００２６０７号公報や特開２００１−５５６０２号公報などのように、ショーツの内部に吸水性素材を装着するか、吸水性素材を挿入する生理用ショーツが開発されているが、従来のサニタリーショーツの場合、繰返し使用による吸水性劣化、着用による不便さと異質感、及びショーツのたるみによる経血又は分泌物の漏れ問題を改善しなければならないなど、様々な問題点を有していた。
【発明の概要】
【発明が解決しようとする課題】
【０００４】
本発明は、女性の月経期間に発生する経血又は分泌物を効率よく吸収することができ、経血又は分泌物による匂いの発生を防止することができるサニタリー機能性ショーツに関する。
【０００５】
また、本発明は、一定の時間以上使用すると、着用者が感じる履き心地の悪さと異物感を最小化することができるサニタリー機能性ショーツに関する。
【０００６】
更に、本発明は、ショーツのたるみで発生し得る経血又は分泌物の漏れ問題を効果的に防止することができ、繰返し使用による吸水性劣化の問題を改善することができるサニタリー機能性ショーツに関する。
【課題を解決するための手段】
【０００７】
本発明は、前記課題を解決するために案出されたものであって、本発明のサニタリー機能性ショーツにおいて、４０〜１２０番手のコーマ糸又はカード糸である綿を含む綿糸層と、前記綿糸層の裏面に存在する第１のナイロンシートと、前記綿糸層と前記第１のナイロンシートの間に存在する第１の防水布とを含む尻部吸収領域と、前記尻部吸収領域の下端に位置し、着用者の肌接触面に存在する第１の吸収布と、前記第１の吸収布の裏面に存在する第２のナイロンシートと、前記第１の吸収布と前記第２のナイロンシートの間に存在する第２の防水布とを含む経血吸収領域と、前記経血吸収領域の両側に形成されており、第３のナイロンシートと、前記第３のナイロンシートの両側又は一側に存在する第３及び第４の防水布とを含む経血漏れ防止ラインとを含み、前記第１の吸収布は、［数１］を満たし、着用者の肌接触面から順次位置する第１〜第３の吸収層を含むことを特徴とする。
［数１］Ｄ１＞Ｄ２＞Ｄ３
［数１］において、Ｄ１は、第１の吸収層に存在する繊維原糸の繊度であり、Ｄ２は、第２の吸収層に存在する繊維原糸の繊度であり、Ｄ３は、第３の吸収層に存在する繊維原糸の繊度である。
【０００８】
前記第１〜第４の防水布は、ポリエステル系樹脂を含む第１の層と、ポリウレタン系樹脂を含む第２の層と、前記第１の層及び第２の層の間に存在するポリウレタン系水性接着剤層とを含む。
【０００９】
前記第１の吸収布の前記第１〜第３の吸収層は、ポリエステル系樹脂を含む。
【００１０】
更に、前記第１の吸収布は、凹凸構造を有するポリウレタンドット層を含み、前記凹凸構造を有するポリウレタンドット層のある一面は、前記第１の吸収層が位置し、他面は、着用者の肌接触面と直接接触する。
【００１１】
前記第１の吸収布は、［数２］を満たす。
［数２］ρ１＞ρ２＞ρ３
［数２］において、ρ１は、第１の吸収層の空隙率（％）で、ρ２は、第２の吸収層の空隙率（％）であり、ρ３は、第３の吸収層の空隙率（％）である。
【００１２】
前記第１の吸収布の第１〜第３の吸収層は、セラミックス粒子を１〜３％の割合で含有する原糸を用いて形成され、前記第１の吸収布は、１０ｎｍ〜７００ｎｍ範囲内の波長光に対する遮断率が８０％〜９５％の範囲内にある。
【００１３】
前記経血吸収領域の縁を縫製し、単位質量（ｇ）のあたり、アンモニア脱臭率が３ｍｇ〜１０ｍｇの範囲内にある消臭室を含む。
【００１４】
更に、前記尻部吸収領域の上端に存在し、着用者の腰部位を取り囲む腰バンド領域を含み、前記腰バンド領域は、ナイロン１００重量分に比して、ポリウレタン２０重量分〜４０重量分の割合で含む。
【発明の効果】
【００１５】
本発明によるサニタリー機能性ショーツは、経血又は分泌物を効率よく吸収することができ、経血又は分泌物による匂いを除去することができる。
【００１６】
また、本発明によるサニタリー機能性ショーツは、一定の時間以上使用する場合、着用者が感じる履き心地の悪さと異物感を最小化することができる。
【００１７】
更に、本発明によるサニタリー機能性ショーツは、ショーツのたるみにより発生し得る経血又は分泌物の漏れ問題を防止することができ、繰返し使用による吸水性劣化の問題を改善することができる。
【００１８】
しかし、本発明の効果が前述した範囲内に制限されるものではない。
【図面の簡単な説明】
【００１９】
【図１】本発明によるサニタリー機能性ショーツを各領域別に説明するための図である。
【図２】本発明によるサニタリー機能性ショーツの尻部吸収領域を具体的に説明するための図である。
【図３】本発明によるサニタリー機能性ショーツの経血吸収領域を具体的に説明するための図である。
【図４ａ】本発明によるサニタリー機能性ショーツの経血漏れ防止ラインを具体的に説明するための図である。
【図４ｂ】本発明によるサニタリー機能性ショーツの経血漏れ防止ラインを具体的に説明するための図である。
【図５】本発明による第１の吸収布の各構成を具体的に説明するための図である。
【図６】本発明による第１の吸収布の各構成を具体的に説明するための図である。
【図７】本発明による第１〜第４の防水布の各構成を具体的に説明するための図である。
【発明を実施するための形態】
【００２０】
以下、本発明について、より具体的に説明する。
【００２１】
本明細書において、単数の表現は、別に明示しない限り、複数の表現を含む。
【００２２】
本明細書で使用する用語は、本発明における機能を考えて、できるだけ、現在広く使われる一般の用語を選択しているが、これは、当分野に従事する技術者の意図又は判例、新技術の出現などにより変わることがある。また、特定の場合は、出願人が任意に選択した用語もあり、この場合、該当する発明の説明部分にて詳しくその意味を記載する。したがって、本発明で使用する用語は、単なる用語の名称ではなく、その用語が有する意味と本発明の全般にわたる内容を基に、定義されるべきである。
【００２３】
本明細書において、「含む」又は「構成される」などの用語は、明細書上で記載する特徴、数字、ステップ、動作、構成要素、パーツ、又はこれらを組み合わせたものが存在することを指定しようとすることであり、１つ又はそれ以上の他の特徴や数字、ステップ、動作、構成要素、パーツ、又はこれらを組み合わせたもの存在又は付加可能性を予め排除しないと理解されるべきである。
【００２４】
本発明は、サニタリー機能性ショーツに関する。本発明によるサニタリー機能性ショーツは、女性の経血又は分泌物を効率よく吸収することができ、前記経血又は分泌物を長時間保つことができるので、別の生理用ナプキンの着用が不要である。
【００２５】
サニタリー機能性ショーツの機能において重要な要素は、経血又は分泌物を吸収するだけでなく、吸収した経血又は分泌物の漏れを防止することにあり、さらには、経血又は分泌物の発生による匂いを効率よく除去することにある。また、長時間使用しても、ショーツ着用による異物感や履き心地の悪さなどを最小化しなければならず、繰返し使用による吸収性の低下があってはいけない。
【００２６】
しかし、従来のサニタリー機能性ショーツの場合、一定の時間以上着用すると、吸収した経血又は分泌物が漏れるか、又は匂いが発生するなどの問題が生じるため、新たなショーツに履き替えるなど、多くの面倒があった。
【００２７】
これに対して、本発明者は、経血又は分泌物の吸収程度の差により、ショーツの領域を区切り、部位別にオーダーメード型素材を採択することで、前述した問題点を改善している。
【００２８】
特に、本発明者は、経血吸収領域に特定の条件を満たす吸収布を含め、また、尻部吸収領域、経血吸収領域、及び経血漏れ防止領域に所定の防水布を含めることで、速い速度で経血又は分泌物を吸収すると共に、経血漏れの問題を改善し、合わせて、匂いが発生する問題、及び一定時間以上の着用による不便さなどを改善している。
【００２９】
図１は、本発明によるサニタリー機能性ショーツを各領域別に説明するための図である。
【００３０】
図１に示しているように、本発明によるサニタリー機能性ショーツは、尻部吸収領域１００と、前記尻部吸収領域１００の下端に位置する経血吸収領域２００と、前記経血吸収領域２００の両側に形成されている経血漏れ防止ライン３００とを含む。  
【００３１】
前記尻部吸収領域１００は、図２に示しているように、４０〜１２０番手のコーマ糸又はカード糸である綿を含む綿糸層１１０と、前記綿糸層１１０の裏面に存在する第１のナイロンシート１２０と、前記綿糸層１１０と前記第１のナイロンシート１２０の間に存在する第１の防水布１３０とを含む。
【００３２】
前記経血吸収領域２００は、図３に示しているように、着用者の肌接触面に存在する第１の吸収布２１０と、前記第１の吸収布２１０の裏面に存在する第２のナイロンシート２２０と、前記第１の吸収布２１０と前記第２のナイロンシート２２０の間に存在する第２の防水布２３０とを含む。
【００３３】
前記経血漏れ防止ライン３００は、図４ａ及び図４ｂに示しているように、第３のナイロンシート３１０と、前記第３のナイロンシート３１０の両側又は一側に存在する第３及び第４の防水布３２０、３３０とを含む。
【００３４】
また、前記第３の防水布３２０は、［数１］を満足し、着用者の肌接触面から順次位置する第１〜第３の吸収層３２１、３２２、３２３（図示せず）とを含む。
［数１］
Ｄ１＞Ｄ２＞Ｄ３
［数１］において、Ｄ１は、第１の吸収層３２１に存在する繊維原糸の繊度であり、Ｄ２は、第２の吸収層３２２に存在する繊維原糸の繊度（ｎｍ）であり、Ｄ３は、第３の吸収層３２３に存在する繊維原糸の繊度（ｎｍ）である。
【００３５】
前記尻部吸収領域１００は、着用者の尻部に接触する部位であって、肌と直接接触する綿糸層１１０と、ショーツの最外層に位置する第１のナイロンシート１２０と、前記綿糸層１１０と第１のナイロンシート１２０の間に存在する第１の防水布１３０とを含む。
【００３６】
前記尻部吸収領域１００の綿糸層１１０は、４０〜１２０番手のコーマ糸又はカード糸である綿を含む。
【００３７】
一例として、前記綿糸層１１０は、４０番手又は６０番手のコーマ糸又はカード糸である綿を含む。前記綿糸層１１０により、長時間の着用で発生し得る汗を効率よく吸収することができ、肌の刺激を最小化することができる。
【００３８】
前記綿糸層１１０の裏面に存在する第１のナイロンシート１２０は、例えば、ナイロンとポリウレタンの混合物である。
【００３９】
一例として、前記第１のナイロンシート１２０は、ナイロン１００重量分に比して、ポリウレタン５〜１５重量分又は６〜１０重量分を含む。前記範囲内のポリウレタンを含む場合、ショーツ全体の伸縮性及びスパン感を確保することができ、全体的な着用感を向上することができる。
【００４０】
尻部吸収領域１００に含まれる第１の防水布１３０は、前記綿糸層１１０と第１のナイロンシート１２０の間に存在し、後述する経血吸収領域２００の吸収布により吸収された経血又は分泌物を保つ役割を果たす。
【００４１】
前記第１の防水布１３０は、例えば、ポリエステル系樹脂を含む第１の層１３１と、ポリウレタン系樹脂を含む第２の層１３２と、前記第１の層１３１と第２の層１３２の間に存在するポリウレタン系水性接着剤層１３３とを含む。（図７参照）
【００４２】
具体的に、前記第１の層１３１は、ポリエステル系樹脂からなり、前記第２の層１３２は、ポリウレタン系樹脂からなる。
【００４３】
前記ポリエステル系樹脂の種類は、例えば、ポリエチレンテレフタレート、ポリブチレンテレフタレート、ポリトリメチレンテレフタレート、及びポリ乳酸などのポリエステルなどがあるが、これに制限されるものではなく、テレフタル酸とエチレングリコール、又はブチレングリコールの縮合反応により生成される高分子重合体と、セバシン酸、アジピン酸、トリメリット酸、イソフタル酸、及びパラオキシ安息香酸などと、エチレングリコールやブチレングリコールとの縮合体、又は他のポリエステル類を含むポリエステル重合体などを例にすることもできる。
【００４４】
前記ポリウレタン樹脂の種類は、例えば、ポリマージオール及びジイソシアネートを出発物質とするポリウレタンであれば、任意のものでも良く、特に限定されるものではない。また、その合成法も、特に限定されるものではない。
【００４５】
具体的に、前記ポリウレタン系樹脂は、ポリマージオールとジイソシアネートと低分子量ジアミンからなるポリウレタンウレアでも良く、また、ポリマージオールとジイソシアネートと低分子量ジオールからなるポリウレタンでも良い。また、鎖延長剤として、水酸基とアミノ基を分子内に有する化合物を用いたポリウレタンウレアでも良い。また、本発明の効果を妨害しない範囲で、３官能性以上の多官能性のグリコールやイソシアネートなどが用いられることも望ましい。
【００４６】
前記第１の防水布１３０は、前述のように、ポリエステル系樹脂を含む第１の層１３１と、ポリウレタン樹脂を含む第２の層１３２とを含むことで、経血吸収領域２００の吸収布により吸収された経血又は分泌物を保つ役割を効率よく果たすことができる。一方、図７に示しているように、前記第１の防水布１３０は、肌接触面を基準に、第１の層１３１、接着剤層１３３、及び第２の層１３２が順次位置する。また、前記第１の防水布１３０は、後述する第２〜第４の防水布２３０、３２０、３３０と１つの単防水布として、縫製糸により区画されている。
【００４７】
前記第１の防水布１３０を製造する方法は、特に制限されるのではなく、例えば、前述した原糸材料を紡糸してウェブで形成し、形成されたウェブをエンボスロールの間を通過して、熱圧着により、不織布でシート化するなどの方式などが例示される。
【００４８】
本発明によるサニタリー機能性ショーツは、経血吸収領域２００を含む。前記経血吸収領域２００は、前記尻部吸収領域１００の下端に位置し、着用者の肌接触面に存在する第１の吸収布２１０と、前記第１の吸収布２１０の裏面に存在する第２のナイロンシート２２０と、前記第１の吸収布２１０と前記第２のナイロンシート２２０の間に存在する第２の防水布２３０とを含む。
【００４９】
前記経血吸収領域２００の肌接触面に存在する第１の吸収布２１０は、［数１］を満たし、着用者の肌接触面から順次位置する第１〜第３の吸収層２１１、２１２、２１３を含む。（図５参照）
［数１］
Ｄ１＞Ｄ２＞Ｄ３
［数１］において、Ｄ１は、第１の吸収層に存在する繊維原糸の繊度で、Ｄ２は、第２の吸収層に存在する繊維原糸の繊度であり、Ｄ３は、第３の吸収層に存在する繊維原糸の繊度である。
【００５０】
本発明による前記第１の吸収布２１０は、繊度が相違する原糸を用いて、３層構造の吸収層を形成し、各吸収層の繊度を、肌接触面から順次縮小することで、着用者の経血又は分泌物を効率よく吸収する。
【００５１】
図５及び図６は、本発明による第１の吸収布２１０の各構成を具体的に説明するための図である。
【００５２】
図５に示しているように、前記第１の吸収布２１０は、肌接触面に近い部分から順次繊度が減少する第１〜第３の吸収層２１１、２１２、２１３を含む。このような吸収層の繊度配列は、各吸収層内の毛細管現象による経血又は分泌物、及びその他の汗の順次排出能を増大させ、それにより、前記第３の吸収層２１３の裏面に存在する第２の防水布２３０に、経血又は分泌物、及び汗のような排出物を迅速に移動させることができる。
【００５３】
第１の吸収布２１０に含まれる第１〜第３の吸収層２１１、２１２、２１３を構成する繊維の具体的な繊度又は直径は、特に制限されるものではなく、前述した［数１］を満たす繊度又は直径であれば良い。
【００５４】
前記第１の吸収布２１０に含まれる第１〜第３の吸収層２１１、２１２、２１３は、更に、各層内の空隙領域が順次減少する構造である。
【００５５】
一例として、前記第１の吸収布２１０は、［数２］を満たしている。
［数２］
ρ１＞ρ２＞ρ３
［数２］において、ρ１は、第１の吸収層の空隙率（％）で、ρ２は、第２の吸収層の空隙率（％）であり、ρ３は、第３の吸収層の空隙率（％）である。
【００５６】
第１の吸収布２１０が［数２］を満たすということは、第１〜第３の吸収層２１１、２１２、２１３の空隙が肌表面から順次減少するということを意味し、［数２］を満たすことによって、第１の吸収布２１０の前述した毛細管効果を極大化することができる。
【００５７】
前記第１〜第３の吸収層２１１、２１２、２１３は、例えば、ポリエステル系樹脂を含む。
【００５８】
前記ポリエステル系樹脂は、例えば、ポリエチレンテレフタレート、ポリブチレンテレフタレート、ポリトリメチレンテレフタレート、又はポリ乳酸などのポリエステルなどがあるが、これに制限されるものではない。
【００５９】
第１の吸収布２１０の第１〜第３の吸収層２１１、２１２、２１３を形成する方法は、例えば、前記第１〜第３の吸収層のそれぞれを構成する原糸を、公知の織物又は編物製造方式で製造した後、ロールツーロール工程により相互圧着して、３層構造の吸収層を含む吸収布を製造することもでき、また、前述した第１の防水布１３０の製造方式と同様な不織布製造方式を用いることもできる。
【００６０】
一方、前記第１の吸収布２１０に含まれる吸収層を１方向に整列した編物で組織することで、経血又は分泌物の吸収及び排出効果を極大化することができる。
【００６１】
一例として、第１の吸収布２１０の第１〜第３の吸収層２１１、２１２、２１３はそれぞれ、互いに異なる繊度を有する原糸を用いて形成された編物層である。
【００６２】
前記第１〜第３の吸収層２１１、２１２、２１３は、また、優れた紫外線及び可視光線遮断率を有するように、所定のセラミックス粒子を含むことができる。
【００６３】
一例として、前記第１の吸収布２１０の第１〜第３の吸収層２１１、２１２、２１３は、セラミックス粒子を、１〜３％の割合で含有する原糸を用いて形成され、１０ｎｍ〜７００ｎｍ範囲内の波長光に対する遮断率は、８０％〜９５％の範囲内である。
【００６４】
前記セラミックス粒子は、例えばＴｉＯ２などであるが、これに制限されるものではない。このように、原糸に所定含量のセラミックス粒子を共に混入し、これを用いて、第１の吸収布２１０の第１〜第３の吸収層２１１、２１２、２１３を製造する場合、優れたな光遮断率を達成することができる。
【００６５】
前記第１の吸収布２１０は、凹凸構造を有するポリウレタンドット層を更に含む。
【００６６】
具体的に、図６に示しているように、第１の吸収布２１０は、第１の吸収層２１１の第２の吸収層２１２が位置する面の反対面に存在するポリウレタンドット層２１４を更に含む。
【００６７】
通常のサニタリーショーツの場合、着用期間による経血又は分泌物の蓄積による肌異物感及び履き心地の悪さが発生することがある。しかし、本発明によるサニタリー機能性ショーツの場合、肌と直接接触する部位に形成されている第１の吸収布２１０のポリウレタンドット層２１４により、前述した肌異物感及び履き心地の悪さを最小化することができる。
【００６８】
すなわち、図６に示しているように、第１の吸収層２１１の上端に存在するポリウレタンドット層２１４は、凹部（Ａ）と凸部（Ｂ）を同時に含み、所定の弾性を有するものであって、経血又は分泌物を吸収する第１の吸収層２１１を直接肌に接しないようにすることで、着用者の肌異物感及び履き心地の悪さを最小化することができる。すなわち、図６に示しているように、前記ポリウレタンドット層２１４のある一面は、前記第１の吸収層２１１が位置し、他面は、着用者の肌接触面と直接接していることがある。
【００６９】
前記ポリウレタンドット層２１４は、凸部（Ａ）と凹部（Ｂ）を含み、所定の厚さを有するものであって、前記ポリウレタンを構成する構造単位のポリマージオールとしては、ポリエーテル系ジオール、ポリエステル系ジオール、又はポリカーボネートジオールなどであり、弾性や柔軟性の観点から、ポリエステル系ジオール化合物が望ましい。
【００７０】
前記ポリエーテル系ジオール化合物としては、具体的に、ポリエチレングリコール、変性ポリエチレングリコール、ポリプロピレングリコール、ポリトリメチレンエーテルグリコール、ポリテトラメチレンエーテルグリコール（以下、ＰＴＭＧと略する）、テトラヒドロプラン（以下、ＴＨＦと略する）、及び３−メチル−ＴＨＦの共重合体である変性ＰＴＭＧ、ＴＨＦ、及び２，３−ジメチル−ＴＨＦの共重合体である変性ＰＴＭＧ、ＴＨＦ及びネオペンチルグリコールの共重合体である変性ＰＴＭＧ、ＴＨＦとエチレンオキシド及び／又はプロピレンオキシドが不規則に配列されたランダム共重合体などがある。また、前記ポリエーテル系ジオール化合物としては、アジピン酸ブチレン、ポリカプロラクトンジオール、３−メチル−１，５−ペンタンジオールとポリプロピレンポリオールの混合物をアジピン酸などと縮重合することで得られる側鎖を有するポリエステルジオールなどのポリエステル系グリコールや、３，８−ジメチルデカン２酸及び／又は３，７−ジメチルデカン２酸からなるジカルボン酸成分とジオール成分から誘導されるジカルボン酸エステル単位を含有するポリカーボネートジオールなどがある。
【００７１】
このようなポリマージオールは、単独で使用しても良く、２種以上を混合又は共重合して使用してもよい。
【００７２】
また、ポリウレタンドット層を構成する構造単位のジイソシアネートとしては、ジフェニルメタンジイソシアネート（以下、ＭＤＩと略する）、トリレンジイソシアネート、１，４−ジイソシアネートベンゼン、キシレンジイソシアネート、２，６−ナフタレンジイソシアネートなどの芳香族ジイソシアネートがあり、メチレンビス（シクロヘキシルイソシアネート）、イソホロンジイソシアネート、メチルシクロヘキサン２，４−ジイソシアネート、メチルシクロヘキサン２，６−ジイソシアネート、シクロヘキサン１，４−ジイソシアネート、ヘキサヒドロキシリレンジイソシアネート、ヘキサヒドロトリレンジイソシアネート、オクタヒドロ１，５−ナフタレンジイソシアネートなどの指環族ジイソシアネートなどがある。
【００７３】
前記ポリウレタンドット層２１４は、例えば、凹部と凸部を有する繊維モールドに、前記ドット層を形成するポリウレタン樹脂原糸を紡糸するなどの方式で形成されるが、これに制限されるものではない。前記のように、通常のポリウレタン層に比して、凹部と凸部を含むポリウレタンドット層を第１の吸収層２１１上に位置させる場合、肌接触による着用者の異物感も履き心地の悪さを最小化することができる。
【００７４】
前記ポリウレタンドット層２１４を製造する場合、原糸に更にセラミックス粒子又はスパン素材などが含まれて混合紡糸されることができる。そこで、前記ポリウレタンドット層２１４には、セラミックス粒子又はスパン素材を更に含む。
【００７５】
本発明によるサニタリー機能性ショーツは、優れた消臭能を有する。
【００７６】
前記優れた消臭能を達成するために、第１の吸収布２１０は、所定の消臭手段を含む。
【００７７】
一例として、前記第１の吸収布２１０は、有機及び無機抗菌剤を含む。
【００７８】
具体的に、前記第１の吸収布２１０は、金属フタロシアニン及び酸化亜鉛を含む。前記金属フタロシアニン及び酸化亜鉛は、例えば、消臭マスター配置形態で製造されて、原糸紡糸に際して、混合可能である。
【００７９】
前記第１の吸収布２１０は、チアゾリルベンズイミダゾル（２−（４−ｔｈｉａｚｏｌｙｌ）ｂｅｎｚｉｍｉｄａｚｏｌｅ）と、ポリヘキサメチレンビグアニドハイドロクロライド（ｐｏｌｙｈｅｘａｍｅｔｈｙｌｅｎｅ  ｂｉｇｕａｎｉｄｅ  ｈｙｄｒｏｃｈｌｏｒｉｕｄｅ）と、下記化学式１のパウダーとを含む。
【００８０】
［化１］
2021523988.tif 000003
【００８１】
また、他の例示として、本発明によるサニタリー機能性ショーツは、前記経血吸収領域２００の縁を縫製し、単位質量（ｇ）のあたり、アンモニア脱臭率が３ｍｇ〜１０ｍｇの範囲内にある消臭室を含む。
【００８２】
特に、本発明によるサニタリー機能性ショーツは、第１の吸収布２１０内の有機及び無機抗菌剤の添加と、経血吸収領域の縁を縫製する消臭室の構成を同時に含むことで、長時間着用しても、経血又は分泌物による匂いを最小化することができる。
【００８３】
本発明によるサニタリー機能性ショーツは、また、経血漏れ防止ライン３００を含む。前記経血漏れ防止ライン３００は、図４ａ及び図４ｂに示しているように、第３のナイロンシート３１０と、前記第３のナイロンシート３１０の両側又は一側に存在する第３及び第４の防水布３２０、３３０とを含む。
【００８４】
前記経血漏れ防止ライン３００は、第１及び第２の防水布１３０、２３０と実質的に同一構成である第３及び第４の防水布３２０、３３０を、ナイロンシートの両側又は一側に位置させることで、経血又は分泌物が漏れる現象を効率よく防止することができる。
【００８５】
一例として、前記経血漏れ防止ライン３００は、図４ａに示しているように、第３及び第４の防水布３２０、３３０を、第３のナイロンシート３１０の一側に位置させることができる。
【００８６】
他の例示として、前記経血漏れ防止ライン３００は、図４ｂに示しているように、第３及び第４の防水布３２０、３３０を、第３のナイロンシート３１０の両側に位置させることもできる。
【００８７】
前記のように、二重の防水布をナイロンシートと共に含める場合、経血の漏れ防止効果を極大化することができる。
【００８８】
一方、第３及び第４の防水布３２０、３３０は、第１及び第２の防水布１３０、２３０と同様に、ポリエステル系樹脂を含む第１の層１３１と、ポリウレタン系樹脂を含む第２の層１３３と、前記第１の層１３１及び第２の層１３２の間に存在するポリウレタン系水性接着剤層１３３とを含む。
【００８９】
一方、前記経血漏れ防止ライン３００は、スパン素材を排除することで、繰返し洗濯及び長期間の着用によるたるみの問題を最小化する。
【００９０】
一例として、前記経血漏れ防止ライン３００は、スパン素材を含まないことを特徴とする。
【００９１】
本発明によるサニタリー機能性ショーツは、また、前記尻部吸収領域の上端に存在し、着用者の腰部位を取り囲む腰バンド領域４００を更に含む。前記腰バンド領域４００は、例えば、ナイロン及びポリウレタンが混合している。
【００９２】
より具体的に、前記腰バンド領域４００は、ナイロン１００重量分に比して、ポリウレタン２０重量分〜４０重量分の割合で含む。前記のような割合内で適切なスパン性及び着用感を確保することができる。
【００９３】
以上、本発明によるサニタリー機能性ショーツについて図面を例示として説明したが、これは、本発明による一例に過ぎず、本発明の主たる技術的思想を含む均等物乃至同一性範疇の置換物が本発明の権利範囲に属することは、当該技術分野の通常の知識を有する者にとって自明である。
【符号の説明】
【００９４】
１００  尻部吸収領域
１１０  綿糸層
１２０  第１のナイロンシート
１３０  第１の防水布
１３１  第１の層
１３２  第２の層
１３３  ポリウレタン系水性接着剤層
２００  経血吸収領域
２１０  第１の吸収布
２１１  第１の吸収層
２１２  第２の吸収層
２１３  第３の吸収層
２１４  ポリウレタンドット層
２２０  第２のナイロンシート
２３０  第２の防水布
３００  経血漏れ防止ライン
３１０  第３のナイロンシート
３２０  第３の防水布
３２１  第１の吸収層
３２２  第２の吸収層
３２３  第３の吸収層
３３０  第４の防水布
４００  腰バンド領域
【図１】
2021523988.tif 000004
【図２】
2021523988.tif 000005
【図３】
2021523988.tif 000006
【図４ａ】
2021523988.tif 000007
【図４ｂ】
2021523988.tif 000008
【図５】
2021523988.tif 000009
【図６】
2021523988.tif 000010
【図７】
2021523988.tif 000011
【国際調査報告】
2021523988.tif 000012
2021523988.tif 000013
2021523988.tif 000014
2021523988.tif 000015